(57)【特許請求の範囲】
【請求項１】
レンズを保持するレンズ保持部と、
レンズ鏡筒の先端に位置し、前記レンズ鏡筒と一体に構成され、前記レンズ保持部へ連結され、光軸と直交する方向に延びる形状をもつ第１の部材と、
前記レンズ鏡筒の先端に配置され、且つ、光軸方向の位置決めがなされた部材であって、撮影用開口部を備え、当該撮影用開口部から退避したバリア羽根を外観上隠す鏡筒カバーと、
前記第１の部材と前記鏡筒カバーとの境界を覆う位置に配置された部材であって、当該前記第１の部材および前記鏡筒カバーの被写体側の面と接着により固定されている第２の部材と、を有することを特徴とするレンズ鏡筒ユニット。
【請求項２】
前記第１の部材は、前記レンズ保持部および該第１の部材と一体に構成された連結部によって、前記レンズ保持部へ連結されることを特徴とする請求項１記載のレンズ鏡筒ユニット。
【請求項３】
前記レンズ保持部と前記第１の部材とが防塵用蛇腹ゴムで連結されることを特徴とする請求項１記載のレンズ鏡筒ユニット。
【請求項４】
前記鏡筒カバーに設けられた突起部と、
前記第１の部材に設けられ、前記突起部と嵌合する孔部と、を更に有することを特徴とする請求項１記載のレンズ鏡筒ユニット。
【請求項５】
請求項１乃至請求項４のいずれかに記載のレンズ鏡筒ユニットが搭載されたことを特徴とする撮像装置。
【発明の詳細な説明】
【技術分野】
【０００１】
本発明は、レンズ鏡筒ユニットおよび撮像装置に関し、特に、レンズ鏡筒先端に鏡筒カバーが設けられたレンズ鏡筒ユニット、および該レンズ鏡筒ユニットが搭載された撮像装置に関する。
【背景技術】
【０００２】
従来のカメラにおいて、撮影レンズを保持するレンズ鏡筒の先端部に鏡筒カバーが設けられたものがある。該鏡筒カバーには、撮影レンズへ光を通すための開口部が設けられており、この鏡筒カバーは、バリア羽根を保持する役目、撮影時に上記開口部から退避したバリア羽根やレンズ保持機構を隠す外観上の役目、撮影に不要な光の侵入を防ぐ遮光の役目などを担う。上記バリア羽根は、撮影レンズの前方に位置して、撮影を行なわない時に鏡筒カバーの開口部を閉じ、これによって、撮影レンズに傷や埃，汚れなどが着かないように撮影レンズを保護するものである。
【０００３】
例えば特許文献１には、光軸と直交方向にスライドして撮影レンズの前方開口部を開閉するバリア羽根、レンズ鏡筒に対して光軸を中心に回転してバリア羽根を駆動するバリア駆動部材、バリア羽根を支持する支持部材、支持部材と一体に形成されてバリア駆動部材を隠す鏡筒カバーから成るバリア機構が開示されている。なお、鏡筒カバーの前面には化粧板などと称するリング状の外観用部材が設けられて、外観の品位を向上させるようになっている。
【０００４】
ところで従来、ズーム駆動やフォーカス駆動によって、鏡筒構成部材が鏡筒最前面の第１群レンズの側方に侵入する構成のレンズ鏡筒ユニットや、レンズを光軸方向に駆動させる鏡筒構成部材などが、レンズ鏡筒内の第１群レンズ側方部に配置されている構成のレンズ鏡筒ユニットがある。そうしたレンズ鏡筒ユニットでは、鏡筒構成部材を格納するための格納スペースがレンズの側方に設けられている場合がある（例えば特許文献２参照）。
【０００５】
こうした格納スペースが設けられた鏡筒ユニットでは、格納スペースの前面に、鏡筒内部への異物の侵入を防ぐための防塵用部材を設けている。そして、防塵用部材の前面には鏡筒カバーが設けられている。これを、図８を参照して詳細に説明する。
【０００６】
図８は、特許文献２に記載される従来の鏡筒の先端部分を示す断面図である。
【０００７】
図８において、３１４はレンズ３０１を保持するレンズ鏡筒、３１９は撮影用の開口部が設けられた鏡筒カバー、３２０は開口部を開閉するバリア羽根、３１８はバリア駆動機構、３２３は鏡筒カバー３１９の前面に設けた外観部材（化粧板）である。
【０００８】
ここで、レンズ３０１の側方に、鏡筒構成部材（不図示）を格納するための格納スペース３３０があり、格納スペース３３０の前面に、光軸と直交方向に延びる防塵用部材３１４ａがある。この防塵用部材３１４ａは、レンズ鏡筒３１４の先端部にレンズ鏡筒３１４と一体に形成されており、鏡筒内に異物が侵入することを防ぐ効果がある。鏡筒カバー３１９は、この防塵用部材３１４ａの前面に配置されている。
【特許文献１】特開２００４−３０２２７４号公報
【特許文献２】特開２００５−６２５５２号公報
【発明の開示】
【発明が解決しようとする課題】
【０００９】
しかしながら、図８に示すような従来の鏡筒では、レンズ鏡筒３１４の先端部に設けられた防塵用部材３１４ａと鏡筒カバー３１９とが光軸方向において重なるため、レンズ鏡筒ユニットが光軸方向において厚くなってしまうという問題点がある。
【００１０】
そこで、レンズ鏡筒３１４の先端部に設けられた防塵用部材３１４ａを除き、鏡筒カバー３１９によって、格納スペース３３０への異物の侵入を防ぐ構成が考えられる。
【００１１】
図９は、図８に示す従来の鏡筒において防塵用部材３１４ａを除いた構成の鏡筒の先端部分を示す断面図である。
【００１２】
図９において、４１４はレンズ４０１を保持するレンズ鏡筒であり、レンズ鏡筒４１４のうち、４１４ｂは繰出し筒部、４１４ｃはレンズ４０１を保持するレンズ保持部である。４１９は、レンズ４０１の前方に位置する開口部を備えた鏡筒カバー、４２０は開口部を開閉するバリア羽根、４１８はバリア駆動機構、４２３は鏡筒カバー４１９の前面に設けた外観部材（化粧板）である。
【００１３】
レンズ４０１の側方には、鏡筒構成部材（不図示）を格納するための格納スペース４３０が存在する。この格納スペース４３０の円周方向の一部に位置し、格納スペース４３０に格納される鏡筒構成部材と干渉を起こさない構造のレンズ鏡筒４１４の連結部分が存在する。該連結部分が、繰出し筒部４１４ｂとレンズ保持部４１４ｃとを連結するようにし、該連結部分と繰出し筒部４１４ｂとレンズ保持部４１４ｃとが一体に構成される。これによって、図９に示す鏡筒では、図８の防塵用部材３１４ａを設けなくとも、レンズ鏡筒４１４がレンズ４０１を保持することができる。
【００１４】
図９に示す構成では、鏡筒カバー４１９は、レンズ鏡筒４１４のレンズ保持部４１４ｃの先端部（図９ではコの字状のレンズ保持部４１４ｃの下側部分）に当接し保持される。この構成によって、レンズ鏡筒ユニットは、図８の防塵用部材３１４ａに相当する厚さだけ光軸方向に薄型化される。
【００１５】
しかしながら、鏡筒カバー４１９とレンズ鏡筒４１４のレンズ保持部４１４ｃの先端部との隙間を無くして密着させることは難しく、格納スペース４３０への異物の侵入を完全に防ぐことは困難である。
【００１６】
さらに、図８に示す従来の鏡筒では、化粧板３２３が鏡筒カバー３１９に対して設けられているため、鏡筒カバー３１９がレンズ鏡筒３１４に対して光軸方向にガタツキを持って保持されている場合、化粧板３２３もレンズ鏡筒３１４に対して光軸方向にガタツクことになり、外観上の品位が悪化するという問題点があった。この問題点は、図９に示す鏡筒でも同様に存在する。
【００１７】
本発明はこのような問題点に鑑みてなされたものであって、耐塵性を損なうことなく、光軸方向の薄型化を図ったレンズ鏡筒ユニットおよび撮像装置を提供することを目的とする。
【００１８】
また、本発明は、化粧板が光軸方向にガタツクことが無く、外観上の高品位を保つことを可能にしたレンズ鏡筒ユニットおよび撮像装置を提供することを他の目的とする。
【課題を解決するための手段】
【００１９】
上記目的を達成するために、請求項１記載の発明によれば、レンズを保持するレンズ保持部と、レンズ鏡筒の先端に位置し、前記レンズ鏡筒と一体に構成され、前記レンズ保持部へ連結され、光軸と直交する方向に延びる形状をもつ第１の部材と、前記レンズ鏡筒の先端に配置され、且つ、光軸方向の位置決めがなされた部材であって、撮影用開口部を備え、当該撮影用開口部から退避したバリア羽根を外観上隠す鏡筒カバーと、前記第１の部材と前記鏡筒カバーとの境界を覆う位置に配置された部材であって、当該前記第１の部材および前記鏡筒カバーの被写体側の面と接着により固定されている第２の部材と、を有することを特徴とするレンズ鏡筒ユニットが提供される。
【００２０】
また、請求項５記載の発明によれば、前記レンズ鏡筒ユニットが搭載された撮像装置が提供される。
【発明の効果】
【００２１】
本発明によれば、レンズ鏡筒の先端に位置し、レンズ鏡筒と一体に構成され、レンズ保持部へ連結部によって連結され、光軸と直交する方向に延びる形状をもつ第１の部材と、レンズ鏡筒の先端に配置され、撮影用開口部を備えるとともに、前記第１の部材と略同一面上に延びる形状をもつ鏡筒カバーとを有することを特徴とするレンズ鏡筒ユニットが提供される。
【００２２】
これにより、耐塵性を損なうことなく、レンズ鏡筒ユニットの光軸方向の薄型化を実現できる。
【００２３】
また、第２の部材が、第１の部材と鏡筒カバーとの両方に当接し固定される。
【００２４】
これにより、レンズ鏡筒が鏡筒カバーを保持する保持力が不十分でも、第２の部材が光軸方向にガタツクことが無く、さらに鏡筒カバーはレンズ鏡筒と第２の部材の両方から保持されるため、撮影用開口部などに撮影者の指が引っかかり、引き剥がし力が加えられても、破損を防ぐことができる。
【発明を実施するための最良の形態】
【００２５】
以下、本発明を実施するための最良の形態について、図面を参照して説明する。
【００２６】
〔第１の実施の形態〕
図１は、本発明の第１の実施の形態に係るレンズ鏡筒ユニットの構成を示す断面図である。この断面図は、レンズ鏡筒ユニットが搭載された撮像装置が撮影状態にあるときのレンズ鏡筒ユニットを示している。図２は、撮像装置が電源オフ状態にあるときのレンズ鏡筒ユニットの構成を示す断面図である。図３は、図２におけるＡＡ方向から見た断面図である。
【００２７】
図１、図２、図３において、１０１は第１群レンズであり、第１群レンズ鏡筒１１４と一体に形成されたレンズ保持部１１４ｃによって保持されている。１０２は第２群レンズであり、不図示の第２群レンズ鏡筒に保持されている。１０３は第３群レンズであり、不図示の第３群レンズ鏡筒に保持されている。各レンズ群は光軸方向に移動可能に保持されており、光軸方向に移動することでズーミング及びフォーカシングが可能となっている。
【００２８】
レンズ鏡筒１１４の繰出し筒部１１４ｂにはフォロアピン１１５が設けられており、このフォロアピン１１５が回転筒１１６に設けられたカム溝１１６ａに嵌合している。また第１群レンズ鏡筒１１４は、第１群レンズ鏡筒１１４の直進ガイドキー１１４ｄと直進規制筒１１７の直進ガイド溝１１７ｄによって回動が規制されている（図３参照）。そのため、回転筒１１６が回転することによって、カム溝１１６ａの形状に従って自在に光軸方向の移動が可能である。
【００２９】
第１群レンズ鏡筒１１４の前面には、バリア開閉機構１１８と鏡筒カバー１１９とが設けられている。１２１は鏡筒ベース部材で、撮像素子１２２と、直進規制筒１１７とを保持している。
【００３０】
撮像装置（カメラ）の電源をオンすると、図１に示す通り、第１群レンズ１０１が前面方向（図１で左方向）へ繰出されるとともに、バリア羽根１２０が、第１群レンズ１０１の前面方向に位置する開口部から退避して開口部を開き、撮影可能状態となる。電源をオフすると、図２に示すように、第１群レンズ１０１が沈胴する（図１で右方向へ移動し）とともに、バリア羽根１２０が開口部を閉じて第１群レンズ１０１を保護する。また、鏡筒沈胴時には、第１群レンズ１０１の側方に設けられたスペース１３０に、鏡筒ベース部材１２１に取り付けられた直進規制筒１１７が格納される。
【００３１】
次に、鏡筒カバー１１９の配置について、図４および図５を参照して説明する。
【００３２】
図４は、第１の実施形態における鏡筒カバー１１９の周辺部を示す断面図である。
【００３３】
直進規制筒１１７が格納されるスペース１３０の前面に、スペース１３０内に外部から異物が侵入しないよう、光軸と直交する方向に延びる防塵用部材１１４ａを、レンズ保持部１１４ｃと連結して、第１群レンズ鏡筒１１４と一体的に設ける。また、防塵用部材１１４ａと略同一面に、鏡筒カバー１１９が設けられる。鏡筒カバー１１９は、第１群レンズ鏡筒１１４の一部に設けられた段差部１１４ｅに当接し、光軸方向の位置が決まる。
【００３４】
図５は、第１の実施形態における鏡筒カバー１１９の別の周辺部を示す断面図である。この別の周辺部は、光軸を中心にして回転した場合の図４に示す周辺部とは異なる位置における周辺部である。
【００３５】
図５に示すように、鏡筒カバー１１９に爪１１９ａを設け、該爪１１９ａが、第１群レンズ鏡筒１１４に設けた穴を貫通して第１群レンズ鏡筒１１４に係合することで、鏡筒カバー１１９が第１群レンズ鏡筒１１４に保持されている。
【００３６】
以上のように、第１の実施の形態では、レンズ鏡筒１１４に一体に形成された、光軸に直交する方向に延びた防塵用部材１１４ａと、鏡筒カバー１１９とを、略同一面に配置する。こうした構成により、図８に示す鏡筒カバー３１９を防塵用部材３１４ａの前面に配置する従来のレンズ鏡筒ユニットに比べ、耐塵性を損なうことなく、防塵用部材３１４ａに相当する厚さ分だけ鏡筒の光軸方向の長さを短縮することができる。また、防塵用部材１１４ａが、レンズ保持部１１４ｃと連結して、レンズ鏡筒１１４と一体に形成されるため、異物が外部からスペース１３０へ侵入する隙間を無くすことができる。
【００３７】
図６は、図８に示す従来のレンズ鏡筒ユニット（Ａ）と、図４に示す第１の実施の形態におけるレンズ鏡筒ユニット（Ｂ）とにおける鏡筒の光軸方向の長さを比較して示す図である。
【００３８】
図６においてＤ１は、従来の防塵用部材３１４ａの光軸方向の厚さを示し、Ｄ２は、従来の鏡筒カバー３１９の光軸方向の厚さを示し、Ｄ３は、第１の実施の形態における鏡筒カバー１１９の光軸方向の厚さ（第１の実施の形態における防塵用部材１１４ａの光軸方向の厚さでもある）を示す。Ｄ４は、従来のレンズ鏡筒ユニットに比べて、第１の実施の形態におけるレンズ鏡筒ユニットにおいて実現した、光軸方向における鏡筒の長さの短縮量を示す。
【００３９】
１２３は化粧板であり、鏡筒カバー１１９と第１群レンズ鏡筒１１４の防塵用部材１１４ａとの各前面に配置されており、防塵用部材１１４ａと鏡筒カバー１１９との境界を覆うことによって外観上の品位を保つことができる。
【００４０】
さらに化粧板１２３は、第１群レンズ鏡筒１１４と一体に形成された防塵用部材１１４ａと鏡筒カバー１１９との両方に接しており、接着剤などで防塵用形状１１４ａと鏡筒カバー１１９との両方に強固に取り付けられる。これにより、第１群レンズ鏡筒１１４（防塵用部材１１４ａ）が鏡筒カバー１１９を保持する保持力が不十分でも、化粧板１２３が光軸方向にガタツクことがなく、外観上の高品位を保つことができる。
【００４１】
さらに、鏡筒カバー１１９は、第１群レンズ鏡筒１１４（防塵用部材１１４ａ）と化粧板１２３との両方から保持されるため、撮影用開口部などに撮影者の指が引っかかり、引き剥がし力が加えられても、破損を防ぐことができる。
【００４２】
なお、第１の実施の形態では、鏡筒沈胴時に直進規制筒１１７を格納するスペース１３０の前面に形成された防塵用部材形状１１４ａと鏡筒カバー１１９とが略同一面上に配置される例を挙げたが、これに代わって、鏡筒繰出し時に鏡筒構成部材を格納するスペースの前面に防塵用部材を設け、該防塵用部材に対し鏡筒カバーを略同一面に配置するようにしてもよい。
【００４３】
〔第２の実施の形態〕
次に、本発明の第２の実施の形態について説明する。
【００４４】
図７は、第２の実施形態における鏡筒カバーの周辺部を示す断面図である。
【００４５】
第１群レンズ２０１を保持する第１群レンズ保持部材２２４は、第１群レンズ鏡筒２１４に対し光軸方向に移動可能に支持される。第１群レンズ駆動機構２２５は第１群レンズ鏡筒２１４に設けられており、例えばステッピングモータ等により構成され、第１群レンズ保持部材２２４を繰出しネジ等によって光軸方向に駆動する。２２６は防塵用蛇腹ゴムで、第１群レンズ保持部材２２４と第１群レンズ鏡筒２１４の間に設けられており、鏡筒内部への異物侵入を防ぐ。
【００４６】
第１群レンズ駆動機構２２５の前面に、外部から鏡筒内部に異物が侵入しないよう、光軸と直交する方向に延びる防塵用部材２１４ａを、第１群レンズ鏡筒２１４と一体に設け、防塵用蛇腹ゴム２２６によって防塵用部材２１４ａと第１レンズ保持部材２２４を連結する。また、防塵用部材２１４ａと略同一面に、鏡筒カバー２１９を設ける。鏡筒カバー２１９は、第１群レンズ鏡筒２１４の一部に設けられた段差部２１４ｅに当接する。また、第１の実施の形態と同様に、鏡筒カバー２１９に設けられた不図示の爪が、第１群レンズ鏡筒２１４に設けられた不図示の穴を貫通して第１群レンズ鏡筒２１４に係合することで、鏡筒カバー２１９が第１群レンズ鏡筒２１４に保持される。
【００４７】
以上の構成により、第１の実施の形態と同様に、図８に示す鏡筒カバー３１９を防塵用部材３１４ａの前面に配置する従来のレンズ鏡筒ユニットに比べ、鏡筒カバー２１９の光軸方向の位置が防塵用部材２１４ａの位置と略同じになるため、鏡筒全体を薄型化出来る。
【００４８】
２２３は化粧板で、鏡筒カバー２１９と第１群レンズ鏡筒２１４の防塵用部材２１４ａとの各前面に配置されており、防塵用部材２１４ａと鏡筒カバー２１９との境界を覆うことによって外観上の品位を保つことができる。
【００４９】
さらに化粧板２２３は、第１群レンズ鏡筒２１４と一体に形成された防塵用部材２１４ａと鏡筒カバー２１９との両方に接しており、接着剤などで防塵用形状２１４ａと鏡筒カバー２１９との両方に強固に取り付けられる。これにより、化粧板２２３が光軸方向にガタツクことが無く、外観上の高品位を保つことができる。
【００５０】
なお、第２の実施の形態では、第１群レンズ駆動機構２２５の前面に形成された防塵用部材２１４ａと鏡筒カバー２１９とが略同一面上に配置されている例を挙げたが、第１群レンズ駆動機構２２５に限らず、他の部材の前面に防塵用部材２１４ａを設け、これに対し鏡筒カバー２１９を略同一面上に配置するようにしてもよい。
【図面の簡単な説明】
【００５１】
【図１】本発明の第１の実施の形態に係るレンズ鏡筒ユニットの構成を示す断面図である。
【図２】撮像装置が電源オフ状態にあるときのレンズ鏡筒ユニットの構成を示す断面図である。
【図３】図３は、図２におけるＡＡ方向から見た断面図である。
【図４】第１の実施形態における鏡筒カバーの周辺部を示す断面図である。
【図５】第１の実施形態における鏡筒カバーの別の周辺部を示す断面図である。
【図６】図８に示す従来のレンズ鏡筒ユニット（Ａ）と、図４に示す第１の実施の形態におけるレンズ鏡筒ユニット（Ｂ）とにおける鏡筒の光軸方向の長さを比較して示す図である。
【図７】第２の実施形態における鏡筒カバーの周辺部を示す断面図である。
【図８】特許文献２に記載される従来の鏡筒の先端部分を示す断面図である。
【図９】図８に示す従来の鏡筒において防塵用部材を除いた構成の鏡筒の先端部分を示す断面図である。
【符号の説明】
【００５２】
１０１  第１群レンズ（レンズ）
１１４  第１群レンズ鏡筒（レンズ鏡筒）
１１４ａ  防塵用部材（第１の部材）
１１４ｂ  繰り出し筒部
１１４ｃ  レンズ保持部
１１４ｅ  段差部
１１８  バリア開閉機構
１１９  鏡筒カバー
１１９ａ  爪（突起部）
１２０  バリア羽根（保護部材）
１２３  化粧板（第２の部材）
１３０  格納スペース
２２６  防塵用蛇腹ゴム
【図１】
0004748658.tif 000002
【図２】
0004748658.tif 000003
【図３】
0004748658.tif 000004
【図４】
0004748658.tif 000005
【図５】
0004748658.tif 000006
【図６】
0004748658.tif 000007
【図７】
0004748658.tif 000008
【図８】
0004748658.tif 000009
【図９】
0004748658.tif 000010